(57)【要約】      （修正有） 【課題】三角巾の使用目的である被覆機能、圧迫止血機能および固定機能を簡単に使い分けることができ、汎用性が高い三角巾を提供する。【解決手段】三角巾を底辺に垂直な方向に織目のある布で製作し、三角巾の底辺を均一幅で背面上方に折返し、その折返し部を底辺とする三角形の高さの約１／３の位置に、台形の上底となるように前面下方に折り返し、更に、三角巾の頂点を台形の上底に接するように折畳むことにより形成される三角巾の頂点を持つ二等辺三角形の底辺に近い左右両辺の箇所を、容易に取り外し可能に係止することにより、二等辺三角形の底辺が開閉可能なリップ形状部を形成する。【選択図】図１
0003153306.tif 000002
【実用新案登録請求の範囲】
【請求項１】
三角巾の底辺を均一幅で背面上方に折返し、その折返し部を底辺とする三角形の高さの約１／３の位置に、台形の上底となるように前面下方に折返し、更に、三角巾の頂点を台形の上底に重ねるように折畳む二折（袋折）により形成される三角巾の頂点を持つ二等辺三角形の底辺に近い左右両辺の２箇所に、容易に取り外し可能な系止部を設けることにより、形成された二等辺三角形の底辺部に開閉可能なリップ形状部を形成した三角巾。
【請求項２】
請求項１記載の三角巾において、二等辺三角形状の底辺に対して垂直な方向に織目のある布で製作することを特徴とした三角巾
【請求項３】
三角巾を、小さな直角三角形形状に折畳むことにより、三角形形状の包装容器に収納可能とした三角巾。    
【考案の詳細な説明】
【技術分野】
【０００１】
本考案は、傷を被覆し、浸出液の吸収や感染を防止する被覆機能、傷の部分を圧迫し、軽度の出血を止める圧迫止血機能および創傷および骨折などの患部を固定し動揺を防ぎ、痛みを軽減する固定機能を持つ三角巾に関するものである。
【背景技術】
【０００２】
直角二等辺三角形状の１枚の布である三角巾には、被覆機能、圧迫止血機能および固定機能を持たせることができ、非常に有用なものである。しかしながら、緊急時の使用では、使用方法の訓練を受けていない者にとっては適切な処置ができない場合がある。三角巾の従来例としては、特許文献１及び２がある。特許文献１は、三角巾の底辺の一端側に腕の肘部を保持するために、Ｌ字状に沿って湾曲する袋状に形成された保持部を設けることにより、肘部にストレスを与えること無しに簡単に保持することができる。また、特許文献２によれば、三角巾の底辺から頂点方向への伸縮が大である生地を使用することにより創傷部、特に曲面、屈曲面を被覆したときに、皺の発生を軽減でき、皺による創傷部に刺激、悪化ならびに保持力の低下を防止できるとしている。
【０００３】
しかしながら、三角巾の機能は、先に述べたように、被覆機能、圧迫止血機能および固定機能を処置場の状況により、簡単に使い分けることができなければならない。従って、袋状の部分を設けた被覆機能専用、伸縮性生地で作る圧迫止血機能専用および保持部を設けた固定機能専用のものは、使用方法は簡単になるが汎用性を欠くことになってしまう。
【０００４】
また、メーカから出荷される三角巾の包装容器形状は、長方形形状であるため、類似した包装容器の医療用ガーゼなどとの区別は、包装容器形状を見ただけでは不可能である。
【先行技術文献】
【特許文献】
【０００５】
【特許文献１】特開２００５−３４６３５号公報
【特許文献２】特開２００２−１４３２１１号公報
【考案の概要】
【考案が解決しようとする課題】
【０００６】
上述した課題を解決するために、三角巾にメーカの出荷梱包状態において頭部、手・足部などの被覆専用機能と肘部の固定などの固定専用機能を持たせ、必要に応じて、これらの専用機能を取り除いた三角巾（全布）として使える三角巾を提供することにある。
【０００７】
さらには、三角巾の包装容器形状を三角形とし、緊急時に一目で三角巾と判断できるようにするための、三角巾の折畳み方を提供することにある。
【課題を解決するための手段】
【０００８】
そこで本考案は、三角巾を底辺に垂直な方向に織目のある布で製作し、三角巾の底辺を均一幅で背面上方に折返し、その折返し部を底辺とする三角形の高さの約１／３の位置に、台形の上底となるように前面下方に折り返し、更に、三角巾の頂点を台形の上底に接するように折畳むことにより形成される三角巾の頂点を持つ二等辺三角形の底辺に近い左右両辺の箇所を、容易に取り外し可能に係止することにより、二等辺三角形の底辺が開閉可能なリップ形状部を形成する。このリップ形状部を利用することにより、頭部、手・足部などの被覆専用機能と肘部の固定などの固定専用機能を持たせ、必要に応じて、係止部を取り外すことにより、専用機能を取り除いた三角巾（全布）として使える三角巾を提供することができる。
【０００９】
更に、形成された台形形状の上底が下底に接するように前面下方に折込み、それを表裏逆にし、左右端部を内側に折込み、横長の長方形形状とする。更に左右の短辺を重ね合わせ長方形形状とする。それを最終的には小さな直角三角形形状になるように折畳むことにより、三角形形状の包装容器への収納を可能としたものである。
【考案の効果】
【００１０】
本考案によれば、形成された開閉可能なリップ形状部が、三角巾のメーカ出荷時に形成されているために、三角巾の使用者が、頭部、手・足部を被覆する場合には、リップ形状部を開き、被覆部位を挿入し、三角巾の底辺折返し部で縛ることにより、緊急時に、短時間で簡単に、強固に固定することができる。
【００１１】
肘部の固定は、リップ形状部を開き、前腕部を挿入することにより前腕部が水平に保持されると同時に、肘部は係止部が上腕部を保持するため簡単、短時間で確実に固定することができる。
【００１２】
三角巾の底辺に対して垂直な方向に織目のある布で製作することにより、前腕部をリップ形状部から挿入し保持する場合には、織目の方向と前腕部の方向が直交するために三角巾のずれを防止できる。
【００１３】
また、頭部をリップ形状部（１０−１１）から挿入する場合には、縫い目方向と挿入方向が同一方向となるために、スムースに頭部を三角巾で覆うことが出来る。
【００１４】
更に、三角巾が小さな直角三角形になるように折畳まれるため、三角形形状の包装容器に収納が可能となり、緊急時に一目で三角巾と判断できる。
【図面の簡単な説明】
【００１５】
【図１】本考案三角巾の一実施形態に係る折畳み実施例と生地の折り目方向
【図２】包装容器用に折畳む一実施例
【考案を実施するための形態】
【００１６】
三角巾の底辺を基準として折畳み、二箇所の係止部により二等辺三角形の底辺が開閉可能なリップ形状部を形成することにより、頭部、手・足部などの被覆専用機能と肘部の固定などの固定専用機能を持たせ、必要に応じて２箇所の系止部を外すことにより専用機能を取り除いた三角巾（全布）として使える三角巾を提供することができる。
【００１７】
また、小さな直角三角形形状になるように折畳むことにより、三角形形状の包装容器に収納が可能とし、緊急時に一目で三角巾と判断することができる。
【実施例】
【００１８】
本考案による三角巾について、図を用いて説明する。図１は、実施形態に係る折畳み使用例、および三角巾生地の織目方向を示す、また図２は、包装容器用に折畳む一実施例を示す。図１（ａ）に示すように、三角巾の底辺（２３）を２０〜３０ｍｍの均一幅Ｌ１で背面上方向に折り返し、更に、図１（ｂ）に示すように、その折り返し部を底辺(４−５)とする三角形の高さ(Ｌ２)の約１／３の位置(Ｌ３)に、台形の上底（６−７）となるように前面下方向に折り返す。更に、三角巾の頂点１を台形（６４５７）の上底（６−７）にほぼ接するように折り込むことにより形成される三角巾の頂点１を持つ二等辺三角形１８９の底辺(８−９)に近い左右両辺(１−８，１−９)に沿って容易に取り外し可能に係止部（１０．１１）を設けることにより、図１（ｃ）に示すように、二等辺三角形１８９の底辺（８−９）に開閉可能なリップ形状部(１０−１１)を形成する。このリップ形状部（１０−１１）を利用することにより、頭部、手・足部などの被覆専用機能と肘部の固定などの固定専用機能を持たせ、必要に応じて専用機能を取り除いた三角巾（全布）として使える三角巾(三角形１２３)を提供することができる。
【００１９】
図１（ｃ）のａ−bに示すように、三角巾の底辺に対して垂直な方向に織目のある布で製作することにより、リップ形状部（１０−１１）に頭部、手・足部を容易に挿入・保持することができる。
また、前腕部をリップ形状部（１０−１１）から挿入し保持する場合には、織目の方向(ａ−ｂ)と水平に保持された前腕部の方向が直交するために三角巾のずれを防止できる。
【００２０】
更には、頭部をリップ形状部（１０−１１）から挿入する場合には、縫い目方向と挿入方向が同一方向となるために、スムースに頭部を三角巾で覆うことが出来る。
【００２１】
また、図２（ａ）に示すように、形成された台形(６７４５)形状の上底(６−７)が下底(４−５)に接するように前面下方向に折畳み、それを表裏逆にし、図３（ｂ）に示すように左右両端部を内側に折込み、横長の長方形(７６１５１４)形状とする。更に図３（ｃ）に示すように左右の短辺(１６−１７、１４−７)を重ね合わせ、長方形（１４（１５）７（６）１７１６）形状とする。更に、図２（ｄ）に示すように、頂点１６を辺７（６）−１７に重ねるように折畳むことにより、台形（１８１４（１５）７（６）１７）形状となる。更に、三角形１６１７１８の辺１６−１８を回転軸として１８０度回転し、折畳むことにより図２（ｅ）に示す長方形（１８１４（１５）７（６）１６）形状となる。同様な折畳み作業を繰り返すことにより、最終的には、図２（ｆ）に示す小さな直角三角形ＡＢＣ形状となり、三角形形状の包装容器に収納が可能な形状となる。
【符号の説明】
【００２２】
１  三角巾の頂点
２、３  三角巾の底辺端点
４，５  折返し部の端点
６，７，８、９  折畳みにより形成された三角形の頂点
１０，１１  係止部
１０−１１  リップ形状部  
ａ−ｂ  織目の方向
１２，１３、１４，１５，１６，１７，１８  三角形または長方形の頂点
Ａ，Ｂ、Ｃ  折畳み完了の直角三角形の頂点
【図１】
0003153306.tif 000003
【図２】
0003153306.tif 000004
【手続補正書】
【提出日】平成21年7月1日(2009.7.1)
【手続補正１】
【補正対象書類名】実用新案登録請求の範囲
【補正対象項目名】全文
【補正方法】変更
【補正の内容】
【実用新案登録請求の範囲】
【請求項１】
三角巾の底辺を均一幅で背面上方に折返し、その折返し部を底辺とする三角形の高さの約１／３の位置に、台形の上底となるように前面下方に折返し、更に、三角巾の頂点を台形の上底に重ねるように折畳む二折により形成される三角巾の頂点を持つ二等辺三角形の底辺に近い左右両辺の２箇所に、容易に取り外し可能な系止部を設けることにより、形成された二等辺三角形の底辺部に開閉可能なリップ形状部を形成した三角巾。
【請求項２】
二等辺三角形状の底辺に対して垂直な方向に織目のある布で製作したことを特徴とする請求項１記載の三角巾
【請求項３】
三角巾を、小さな直角三角形形状に折畳むことにより、三角形形状の包装容器に収納可能としたことを特徴とする請求項１の三角巾